(57)【要約】【課題】  安全にかつ安定した火工材料スラリーの供給ができる供給方法の提供。【解決手段】  貯蔵容器10内の火工材料スラリ13を、貯蔵容器10底部の供給口12から取り出し、他の容器23内に供給する方法である。貯蔵容器10内の火工材料スラリ13の開放面13aがシール材15で封止され、外気との接触が遮断されているため、供給過程において火工材料スラリ13の乾燥が防止される。【選択図】  図１
2007170687.tif 000002
【特許請求の範囲】
【請求項１】
貯蔵容器内の火工材料スラリーを、前記貯蔵容器の底部又はその近傍から取り出し、他の容器内に供給する方法であって、
前記火工材料スラリーの開放面がシール材で封止されており、火工材料スラリーの供給過程において前記火工材料スラリーの封止状態が維持されている、火工材料スラリーの供給方法。
【請求項２】
前記シール材が、前記火工材料スラリーの供給に伴う前記開放面の低下と共に移動可能なものである、請求項１記載の火工材料スラリーの供給方法。
【請求項３】
前記火工材料スラリーの供給に伴う前記開放面の低下と共に前記シール材を補充する、請求項１記載の火工材料スラリーの供給方法。
【請求項４】
前記シール材が、液体、ゲルから選ばれるもので、前記火工材料スラリーと混ざり合わないものである、請求項１〜３のいずれかに記載の火工材料スラリーの供給方法。
【請求項５】
前記シール材が、２以上のシール材を組み合わせたものである、請求項１〜４のいずれかに記載の火工材料スラリーの供給方法。
【請求項６】
前記シール材が、液体及びゲルから選ばれる第１シール材と、固体からなる第２シール材の組み合わせであり、第２シール材が下に位置するように配置されたものである、請求項１〜５のいずれかに記載の火工材料スラリーの供給方法。
【請求項７】
前記貯蔵容器が、前記火工材料スラリーが接する面に、ポリエチレン、ポリプロピレン、フッ素樹脂、シリコーン樹脂から選ばれる材料層を有しているものである、請求項１〜６のいずれかに記載の火工材料スラリーの供給方法。
【請求項８】
前記火工材料スラリーが、電気着火式点火器の点火薬のスラリーである、請求項１〜７のいずれかに記載の火工材料スラリーの供給方法。
【発明の詳細な説明】
【技術分野】
【０００１】
本発明は、電気着火式点火器の点火薬の充填方法として適した火工材料スラリーの供給方法に関する。
【背景技術】
【０００２】
電気着火式点火器の火工材料（点火薬）は、ジルコニウム等の燃料や過塩素酸カリウム等の酸化剤で構成されているが、これらの成分からなる混合物は、乾燥状態では燃焼性や爆発性を有しており、これらを用いた点火器の製造においては、製造設備や取り扱いに安全上の配慮が必要となり、製造コストが高くなる。このため、火工材料の燃焼性や爆発性の問題を解消する目的から、火工材料を溶剤に分散してスラリー状態で取り扱う方法が提案されている。
【０００３】
特許文献１〜３には、燃料スラリーと酸化剤スラリーを別々に調製し、これら２つのスラリーを混合した火工材料スラリーを用いて、点火器を製造する発明が開示されている。特許文献４には、燃料と酸化剤をバインダーや溶剤と共に混合した１つの火工材料スラリーを用いて、点火器を製造する発明が開示されている。
【特許文献１】特開平９−２１０５９６号公報
【特許文献２】特表２００４−５２５３２９号公報（WO02/46688）
【特許文献３】ＵＳＰ６，８４８，３６５  Ｂ２
【特許文献４】特開２００４−１１５００１号公報
【発明の開示】
【発明が解決しようとする課題】
【０００４】
火工材料スラリーを点火器に充填する工程では、火工材料スラリーが入った貯蔵容器から、定量ポンプにより、一定量の火工材料スラリーを供給する工程が採用されている。このような供給方法においては、火工材料がスラリー状態を維持できている限り、火工材料が爆発するおそれはなく、安全に取り扱うことができる。
【０００５】
しかし、火工材料スラリーの供給に伴ってスラリー面（開放面）が低下して行く過程で、貯蔵容器の内壁面にスラリーが付着したまま残ると、それが乾燥したとき、燃焼乃至爆発するおそれがある。また、時間の経過と共に、火工材料スラリーに含まれている溶剤が蒸発すると、開放面の容器内壁面に接するスラリーが乾燥して、燃焼乃至爆発するおそれがあるほか、溶剤の蒸発によるスラリー粘度の増加に伴い、スラリーの供給が困難になったり、供給量にばらつきが生じたりするおそれもある。
【０００６】
本発明は、安全性が高く、安定した火工材料スラリーの供給ができ、電気着火式点火器の点火薬の充填方法として適した火工材料スラリーの供給方法を提供することを課題とする。
【課題を解決するための手段】
【０００７】
本発明は、課題の解決手段として、貯蔵容器内の火工材料スラリーを、前記貯蔵容器の底部又はその近傍から取り出し、他の容器内に供給する方法であって、
前記火工材料スラリーの開放面がシール材で封止されており、火工材料スラリーの供給過程において前記火工材料スラリーの封止状態が維持されている、火工材料スラリーの供給方法を提供する。
【０００８】
「火工材料スラリーの開放面」は、シール材で封止される前の状態を示すものであり、シール材で封止後は開放面ではない。
【０００９】
「封止」は、火工材料スラリーの供給前において、火工材料スラリーの開放面（貯蔵容器と接触していない面）と外気との接触が遮断されていることを意味し、「火工材料スラリーの封止状態が維持されている」は、火工材料スラリーの供給過程においても、火工材料スラリーの含有成分と外気との接触が遮断されていることを意味する。よって、封止状態が維持されている限りは、火工材料スラリーの組成（特に火工材料スラリーに含まれている溶媒濃度）に変化が生じることがなく、燃焼や爆発が生じることもない。
【００１０】
前記シール材は、封止ができるものであれば、固定式のものでも、可動式のものでもよいが、前記火工材料スラリーの供給に伴う前記開放面の低下と共に移動可能なものが好ましい。
【００１１】
前記シール材として可動式のものを用いた場合には、前記火工材料スラリーの供給に伴う前記開放面の低下と共に前記シール材を補充することが好ましい。
【００１２】
前記シール材としては、液体、ゲルから選ばれるもので、前記火工材料スラリーと混ざり合わないものが好ましい。
【００１３】
前記シール材は、２以上のシール材を組み合わせたものでもよく、その場合には、液体及びゲルから選ばれる第１シール材と、固体からなる第２シール材の組み合わせであり、第２シール材が下に位置するように配置されたものが好ましい。
【００１４】
前記貯蔵容器は、火工材料スラリーの供給を円滑にするため、火工材料スラリーが接する面に、ポリエチレン、ポリプロピレン、フッ素樹脂、シリコーン樹脂から選ばれる材料層を有しているものが好ましい。
【００１５】
本発明の火工材料スラリーの供給方法は、電気着火式点火器にスラリー状の点火薬を充填する方法として好適である。
【発明の効果】
【００１６】
本発明の火工材料スラリーの供給方法は、安全性が高く、安定して一定量の火工材料スラリーを供給することができる。
【発明を実施するための最良の形態】
【００１７】
（１）図１、図２に示す実施形態
図面により、本発明の実施形態を説明する。図１は、本発明の供給方法に使用する供給装置の概念図である。図２は、図１の供給装置を用いた火工材料スラリーの供給方法の説明図である。
【００１８】
＜火工材料スラリーの供給装置＞
貯蔵容器１０は筒状のもので、上部には開口部１１を有しており、底部には供給口１２を有している。開口部１１は、開放状態でもよいし、蓋で閉塞されていてもよい。蓋で閉塞されている場合には、通気口、シール材の補充口、火工材料スラリーの注入口を設けることができる。供給口１２は、開閉弁のようなもので、開閉自在にしてもよい。
【００１９】
貯蔵容器１０は、金属、合成樹脂、ガラス、セラミックス等からなるものであるが、内壁面に火工材料スラリーが付き難くなるようにして、供給を円滑にする観点から、少なくとも火工材料スラリーが接する面に、ポリエチレン、ポリプロピレン、フッ素樹脂、シリコーン樹脂から選ばれる材料層が形成されているものが好ましい。
【００２０】
また貯蔵容器１０は、医療用の点滴に使用するような柔軟性のあるプラスチック製の袋でもよい。プラスチック製の袋の場合は、加工材料スラリーとシール材を充填後、密封するため、火工材料スラリーの供給による容積の減少に伴って袋自体が萎んで行き、残った火工材料スラリーを押圧するように作用する。
【００２１】
貯蔵容器１０の供給口１２には、導管２０の一端部が接続されており、導管２０の他端部は、定量ポンプを内蔵した火工材料スラリー吐出装置２１に接続されている。火工材料スラリー吐出装置２１は、スラリー吐出ノズル２２を有しており、定量ポンプの作動により、吐出ノズル２２から供給対象となる容器２３内に所定量の火工材料スラリー１３が供給される。
【００２２】
導管２０、火工材料スラリー吐出装置２１及びスラリー吐出ノズル２２は、貯蔵容器１０と同様にして、少なくとも火工材料スラリーが接する面に、ポリエチレン、ポリプロピレン、フッ素樹脂、シリコーン樹脂から選ばれる材料層を形成することができる。
【００２３】
火工材料スラリーの供給装置を構成する各構成部の寸法は、火工材料スラリーの充填対象、充填量、充填速度等の要件に応じて、適宜設定することができる。例えば、１回の充填量が比較的多い場合は、大きめの吐出ノズルを使用するため、他の構成部分の寸法もそれに応じて設定し、１回の充填量が比較的少ない場合は、小さめの吐出ノズルを使用するため、他の構成部の寸法もそれに応じて設定することができる。
【００２４】
火工材料スラリー吐出装置２１は定量ポンプを使用することができ、例えば、兵神装備（株）のモーノポンプ（回転容積式ポンプ）3ND02G15、3ND04G15、4NDP、イワキ社製のハイセラポンプ（バルブレスロータリー式プランジャーポンプ）、IVEK CooperationのRotary Pistonポンプ（バルブレスロータリー式プランジャーポンプ）を使用することができる。
【００２５】
＜火工材料スラリーの供給方法＞
次に、図１、図２により、図１に示す供給装置を用いた火工材料スラリーの供給方法を説明する。
【００２６】
貯蔵容器１０の開口部１１から、固形分と溶媒からなる所要量の火工材料スラリー１３を空気が混入しないように密閉状態で注入する。なお、火工材料スラリー１３は、予め脱気処理したものを用いることが好ましい。脱気方法は特に制限されるものではないが、例えば、商品名「あわとり練太郎」（シンキー社製）を用いて脱気することができる。
【００２７】
注入された火工材料スラリー１３は、供給口１２から導管２０を通って吐出装置２１内に至るが、定量ポンプの作動前には吐出ノズル２２から吐出されることはない。
【００２８】
火工材料スラリー１３の注入後、開放面１３ａに接するようにシール材１５を入れ、開放面（スラリー面）１３ａを封止して、シール材１５と開口部１１との間の空間１６との接触を遮断する。火工材料スラリー１３の注入量は、シール材１５で封止できる程度の量に調整する。
【００２９】
シール材１５は、液体、ゲルから選ばれるもので、火工材料スラリー１３と混じり合わないものが好ましい。火工材料スラリー１３と混じり合わないものとは、火工材料スラリー１３に含まれる固形分を溶解しないもので、火工材料スラリー１３よりも比重の軽いものである。シール材１５として液体又はゲルを用いた場合は、可動式のシール材となる。
【００３０】
液体のシール材は、火工材料スラリー１３に含まれている溶媒の種類に応じて、水、親水性溶媒、疎水性溶媒等から選ばれるものを用いることができる。また、流動性を維持できる範囲で、粘度を増減させることもできる。
【００３１】
ゲルのシール材は、火工材料スラリー１３に含まれている溶媒に溶解せず、流動性を有しているものであればよく、ポリマーのゲル、無機化合物のゲル等から選ばれるものを用いることができる。
【００３２】
シール材の注入量は、火工材料スラリーの封止状態が維持できる範囲で設定することができる。例えば、貯蔵容器から吐出装置へ供給される火工材料スラリーの供給量（又は吐出量）と同量か、それ以上の量に設定できる。また、シール材の注入量は、シール材の位置（高さ）を火工材料スラリーの封止状態が維持できる範囲（例えば、貯蔵容器の一定の高さ範囲）に制御できる量に設定してもよい。
【００３３】
このように火工材料スラリー１３の開放面１３ａをシール材１５で封止することにより、開放面（スラリー面）１３ａは空間１６の空気との接触が遮断される。このため、火工材料スラリー１３に含まれる溶媒が蒸発しなくなるので、開放面（スラリー面）１３ａ、特に開放面（スラリー面）１３ａと容器内壁面１０ａとの接触部分が乾燥することがなくなり、火工材料スラリー１３の溶媒量も変化することがなくなるので、吐出装置２１からの吐出量も安定する。
【００３４】
次に、定量ポンプを作動させ、吐出装置２１の吐出ノズル２２から、供給対象となる容器２３内に火工材料スラリー１３の定量吐出を開始する。吐出の継続に伴い、貯蔵容器１０内の火工材料スラリー１３の量が減少してくると、図２（ａ）及び図２（ｂ）に示すとおり、開放面１３ａの位置も下降してくる。
【００３５】
この過程にて、内壁面１０ａに火工材料スラリー１３が付着したまま残ることが考えられるが、液体やゲルからなる可動式のシール材の場合には、シール材１５自体が内壁面１０ａに接触した状態で下降することから、シール材１５自体による流し落とし作用（主に液体のシール材）や掻き取り作用（主にゲルのシール材）が発揮されることにより、内壁面１０ａに付着した残留物はシール材１５中に取り込まれるため、内壁面１０ａに付着したまま残存することがない。
【００３６】
また、図２に示すとおり、火工材料スラリー１３の開放面（スラリー面）１３ａの下降に伴い、シール材１５を補充することにより、火工材料スラリー１３が内壁面１３ａに付着したまま残存した場合でも、シール材１５による封止状態は維持され、残留物が空間１６の空気と接触することがなくなるため、乾燥による燃焼乃至爆発が防止される。
【００３７】
シール材１５を補充する場合は、好ましい封止状態を維持する観点から、火工材料スラリー１３が内壁面１０ａに付着する可能性のある図２（ａ）に示す開放面（スラリー面）１３ａと同じ高さ位置を維持できるように補充することが好ましく、図２（ａ）に示すシール材１５の表面１５ａと同じ高さ位置（図２中に破線で示す位置）を維持できるようにすることがより好ましい。
【００３８】
（２）図１、図３に示す実施形態
図３（ａ）、（ｂ）は、図１に示す供給装置を用いた、本発明の供給方法の他実施形態を説明するための概念図である。
【００３９】
本実施形態では、シール材として、液体又はゲルからなる第１シール材１５ａと、固体からなる第２シール材１５ｂを組み合わせて使用しており、第２シール材１５ｂが、火工材料スラリー１３の開放面（スラリー面）１３ａと接触されている。第１シール材１５ａは、第２シール材１５ｂを溶解、変質、変形させたりしないものを選択する。
【００４０】
このような第１シール材１５ａと第２シール材１５ｂとの組み合わせにすることにより、第１シール材１５ａと火工材料スラリー１３との間に、固体製の第２シール材１５ｂが介在することになる。このため、第１シール材１５ａと火工材料スラリー１３が接触することがなくなるため、火工材料スラリー１３の種類により、シール材の選択が制限されることがなくなる。よって、第１シール材１５ａとして、火工材料スラリー１３と混じり合うものを選択することもできる。
【００４１】
固体のシール材は、プラスチック、金属、ガラス、セラミック、木、紙等からなる、円板状や円柱状のものから選ばれるものを用いることができる。プラスチックの場合は、フィルム状、シート状、ブロック状（発泡体も含む）等にすることができ、金属の場合は金属箔でもよい。
【００４２】
本実施形態においても、図２の実施形態と同様にして、火工材料スラリー１３の減少に伴い、第１シール材１５ａを補充することができる。
【００４３】
（３）図１、図４に示す実施形態
図４（ａ）、（ｂ）は、図１に示す供給装置を用い、本発明の供給方法を電気着火式点火器の点火薬の充填方法に適用した実施形態を説明するための概念図である。図４に示す電気着火式点火器は、特許文献４の図面に示されているものと同じものである。
【００４４】
図１（ａ）に示す点火器100（但し、火工材料の充填前のもの）は、電気的な作動信号を受領する１対の導電性ピン101a、101bが、板状のヘッダ部材102により、絶縁状態で保持されている。ヘッダ部材102の縁に沿って、筒状のチャージホルダー103が立設されている。このチャージホルダー103とヘッダ部材102で形成される空間（即ち、火工材料充填空間104）内における底面、即ちヘッダ部材102の上面に、電気的エネルギーを熱エネルギーに変換する発熱体のブリッジワイヤー105が設けられている。
【００４５】
ヘッダ部材102における電気的導電体からなる環状部分102aには、１つの導電性ピン101aが通電可能なように接合され、ヘッダ部材102における環状部分102aに存在する孔部内に充填されたガラスその他の電気的絶縁体102b内には、他方の導電性ピン101bが、その端面がヘッダ部材102の上面に露出する状態で設置されている。
【００４６】
環状部分102aの上面、電気的絶縁体102bの上面、及び環状部分102aに存在する導電性ピン101の端面とは面一となっており、環状部分102aの上面と電気的絶縁体102bで保持された導電性ピン101bの端面との間には、着火電流で発熱するブリッジワイヤー105が架設されている。
【００４７】
図１に示す供給装置を用い、図４（ａ）に示す点火器100の火工材料充填空間104内に、吐出ノズル２２から、所定量の火工材料スラリー（点火薬スラリー）107を吐出して充填する。１回の吐出量は点火器100の種類により異なるが、汎用されている自動車のエアバッグ装置用ガス発生器に用いる点火器であれば、１０μＬ〜１５０μＬ程度である。よって、生産性の観点から図１に示す供給装置では、前記範囲の量を１回で充填できる供給装置であって、それに適した径の吐出ノズルを使用することが好ましい。
【００４８】
点火薬スラリーは、燃料、酸化剤、バインダー、添加剤、溶媒等を含む公知のもの（例えば、特許文献４に記載されているもの）を用いることができる。点火薬スラリーは、燃料を含むスラリーと酸化剤を含むスラリーを別々に調製したものを混合してもよい。
【００４９】
燃料は、ジルコニウム、鉄、すず、マンガン、コバルト、ニッケル、タングステン、チタン、マグネシウム、アルミニウム、ニオビウム及びそれらの混合物等からなる群から選択される粉末を使用することができ、中でもジルコニウム粉末が好ましい。
【００５０】
酸化剤は、過塩素酸カリウム、過塩素酸リチウム、過塩素酸ナトリウムなどの過塩素酸塩、更には硝酸カリウム等の硝酸塩、及びこれらの混合物からなる群から選択される粉末を使用することができ、中でも過塩素酸カリウム粉末が好ましい。
【００５１】
バインダーとしては、セルロース系樹脂、ウレタン樹脂、フッ素系ゴム組成物等を挙げることができる。その他、火工材料スラリーには、ガラス粉末、ガラスファイバー、セラミックファイバー、スチールウール、ベントナイト、カオリナイト及びそれらの混合物からなる群から選択される添加剤を使用することができる。特に酸化剤成分として過塩素酸カリウムを使用する場合、過塩素酸カリウムがバインダーに溶解することを防止するため、バインダーはヒドロキシプロピルセルロース、ニトロセルロース及びウレタンからなる群から選択することが望ましい。
【００５２】
溶媒は、イソプロピルアルコール、メチルエチルケトン、ヘキサン等の有機溶媒を使用することができる。
【００５３】
点火薬スラリーは、１，０００〜５００，０００センチポイズ、好ましくは５，０００〜３００，０００センチポイズの範囲にする。
【００５４】
点火薬スラリーが含む溶媒がシール材と親和性がない場合は、前記点火薬スラリーに対して直接シール材を用いることができる。例えば、前記溶媒が疎水性溶媒の場合には、シール材として水を用いることができる。
【００５５】
また点火薬スラリーが含む溶媒がシール材と親和性がある場合は、前記溶媒及びシール材に対して親和性のない材料からなる第２シール材を用いることができる。例えば、前記溶媒が親水性溶媒の場合には、疎水性（油性）の液体若しくはゲル、又は図３（ａ）、（ｂ）に示す第１シール材１５ａ（例えば、水）と、固体からなる第２シール材１５ｂ（例えば、点火薬スラリーが含む溶媒や第１シール材に対して不活性なプラスチック板）を組み合わせて用いることができる。
【００５６】
（点火薬スラリーの配合例１）
燃料：ジルコニウム  １４１質量部
酸化剤：過塩素酸カリウム  １３７．６質量部
バインダー：ヒドロキシプロピルセルロース  ２質量部
溶媒：イソプロピルアルコール  ６４．２質量部
配合例１の点火薬スラリーを用いる場合は、イソプロピルアルコールに溶解せず、かつ点火薬スラリーよりも比重が軽い発泡プラスチック製シート（例えば、発泡ポリエチレン製シート）を第２シール材として用いて点火薬スラリーを封止し、更にイソプロピルアルコールや、ヘキサン、へプタン、オクタン等のアルカン類等を第１シール材として用いることができる。
【００５７】
（点火薬スラリーの配合例２；特許文献３の３欄２７−３３行に記載のもの）
バインダ−：商品名Viton−B  ５質量％
溶媒：酢酸ブチル  ２０質量％
燃料、酸化剤：ジルコニウム／過塩素酸カリウム  残部
配合例２の点火薬スラリーを用いる場合は、水を第１シール材として用い、点火薬スラリーに接触するように注入することができる。但し、酸化剤の過塩素酸カリウムが第１シール材の水により吸湿するおそれもあるから、その場合には、上記配合例１と同様にして、点火薬スラリーと第１シール材の間に第２シール材を配置することが好ましい。また、第１シール材が点火薬スラリーの溶媒よりも比重が大きい場合（水の比重は酢酸ブチルの比重よりも大きい）には、第２シール材を用いてもよい。
【００５８】
本発明の火工材料スラリーの供給方法を適用すれば、長期間継続して実施した場合においても、吐出ノズル２２から一定した吐出量で吐出することができ、貯蔵容器１０の内壁面１０ａに点火薬スラリー１３が付着することもない。
【図面の簡単な説明】
【００５９】
【図１】本発明の供給方法を実施するための供給装置の概念図。
【図２】本発明の供給方法の一実施形態を説明するための概念図。
【図３】本発明の供給方法の他の実施形態を説明するための概念図。
【図４】本発明の供給方法の更に他の実施形態を説明するための概念図。
【符号の説明】
【００６０】
１０  貯蔵容器
１３  火工材料スラリー
１５  シール材
２０  導管
２１  火工材料スラリー吐出装置
２２  スラリー吐出ノズル
２３  容器
【図１】
2007170687.tif 000003
【図２】
2007170687.tif 000004
【図３】
2007170687.tif 000005
【図４】
2007170687.tif 000006